(57)【要約】【課題】映像表示装置において、表示画面の大きさに係らず表示画面の表示ムラを軽減する。【解決手段】映像表示装置は、画素２２がマトリクス状に配置された表示画面２１と、画素２２を駆動し表示画面２１に映像を表示させる表示制御回路とを備える。表示制御回路は、表示画面２１の水平方向と垂直方向のいずれか一方向に沿った画素２２の各列にそれぞれ対応して設けられた走査用の複数のゲートライン９１ａを有する。各ゲートライン９１ａはそれぞれ、対応する各列の画素２２に走査信号を伝送する。隣り合うゲートライン９１ａ同士は、走査信号の伝送方向Ｄ１が互いに逆である。これにより、走査信号が伝送距離に応じてなまり、各ゲートライン９１ａに対応した画素２２の各列において走査信号の伝送方向の手前側と奥側とで表示ムラが生じたとしても、表示ムラの方向が隣同士で逆になるので、表示画面２１の大きさに係らず全体として表示ムラを打ち消し合える。【選択図】図３
2012141391.tif 000002
【特許請求の範囲】
【請求項１】
複数の画素がマトリクス状に配置された表示画面と、
前記複数の画素をマトリクス駆動し、前記表示画面に映像を表示させる駆動手段と、を備えた映像表示装置において、
前記駆動手段は、
前記表示画面の水平方向と垂直方向のいずれか一方向に沿った画素の各列にそれぞれ対応して設けられ、各列の画素に走査信号を伝送する複数のゲートラインと、
前記ゲートラインにより走査信号が伝送された列の各画素に画像データをそれぞれ伝送する複数のデータラインと、を有し、
前記複数のゲートラインのうち、隣り合うゲートライン同士は、走査信号の伝送方向が互いに逆であることを特徴とする映像表示装置。
【請求項２】
前記表示画面は、長方形状であり、
前記ゲートラインの各々は、前記表示画面の短手方向に沿った画素の各列にそれぞれ対応して設けられていることを特徴とする請求項１に記載の映像表示装置。
【発明の詳細な説明】
【技術分野】
【０００１】
本発明は、表示画面に映像を表示する映像表示装置に関する。
【背景技術】
【０００２】
従来から、複数の液晶画素（以下、単に画素という）がマトリクス状に配置された表示画面と、画素をマトリクス駆動して表示画面に映像を表示させる駆動回路とを備えた映像表示装置が知られている。上記駆動回路は、ゲートドライバ及びソースドライバにより構成されている。ゲートドライバは、画素の各行にそれぞれ対応して設けられた複数のゲートラインを有しており、それらのゲートラインから各行の画素に走査信号を順次伝送し、画素を行毎に順次走査する。ソースドライバは、画素の各列にそれぞれ対応して設けられた複数のデータラインを有しており、それらのデータラインから上記の走査された行の画素に列毎に画像データを伝送する（例えば、特許文献１参照）。
【０００３】
ところで、上記映像表示装置においては、ゲートラインに、図４（ａ）に示すような矩形波の走査信号を入力したときに、伝送距離が長くなるにつれ、走査信号がライン抵抗の影響を受けて、図４（ｂ）に示されるようになまることがある。そのような場合、液晶への印加電圧が想定よりも小さくなり、表示画面に輝度ムラ及び色ムラ（以下、表示ムラと総称）が生じ得る。
【０００４】
このような現象は、単純マトリクス（パッシブ・マトリクス）方式とアクティブ・マトリクス方式のいずれのマトリクス駆動方式であっても起き得る。単純マトリクス方式では、ゲートラインとデータラインとが液晶を挟んで対向し、かつ互いに直交するように配置されており、両ラインの各交点が各画素を構成し、各交点における両ラインの電位差が液晶への印加電圧とされる。従って、走査信号の電圧が画像データのそれよりも高い場合、走査信号がなまれば、上記電位差は小さくなり、液晶への印加電圧は低くなる。また、アクティブ・マトリクス方式では、基板上にゲートラインとデータラインとが互いに直交するように配置され、各交点にスイッチング素子としてのＴＦＴ（Thin Film Transistor）が設けられ、ＴＦＴには画素電極が接続されている。そして、走査によりＴＦＴが導通状態になり、画像データに対応した電圧が画素電極に印加されると、その電圧により画素電極の蓄積キャパシタが充電され、その充電電圧により、画素電極と、その画素電極と液晶を挟んで対向する共通電極との間に電圧が印加される。従って、走査信号がなまれば、ＴＦＴの導通期間が短くなり、その結果、画像データによる蓄積キャパシタの充電が十分になされず、液晶への印加電圧が低くなる。
【０００５】
そこで、表示画面が長方形状の映像表示装置において、走査信号が伝送される距離を短くして波形なまりを抑えるため、ゲートラインを、表示画面の短手方向に沿った画素の各列に対応して設け、ゲートラインの配線距離を短くした映像表示装置が知られている（例えば、特許文献２及び特許文献３参照）。
【０００６】
しかしながら、特許文献２及び特許文献３のような映像表示装置においては、表示画面が大きくなれば、ゲートラインの配線距離は長くなるので、走査信号のなまりを抑えることは難しくなり、表示画面の表示ムラの軽減は困難になる。
【先行技術文献】
【特許文献】
【０００７】
【特許文献１】特開平２−２４４０２４号公報
【特許文献２】特開２００３−１９５８２９号公報
【特許文献３】特開平１０−３０１０８８号公報
【発明の概要】
【発明が解決しようとする課題】
【０００８】
本発明は、上記の従来の問題を解決するためになされたものであり、表示画面の大きさに係らず、表示画面の表示ムラを軽減することができる映像表示装置を提供することを目的とする。
【課題を解決するための手段】
【０００９】
上記目的を達成するために本発明の映像表示装置は、複数の画素がマトリクス状に配置された表示画面と、前記複数の画素をマトリクス駆動し、前記表示画面に映像を表示させる駆動手段と、を備えた映像表示装置において、前記駆動手段は、前記表示画面の水平方向と垂直方向のいずれか一方向に沿った画素の各列にそれぞれ対応して設けられ、各列の画素に走査信号を伝送する複数のゲートラインと、前記ゲートラインにより走査信号が伝送された列の各画素に画像データをそれぞれ伝送する複数のデータラインと、を有し、前記複数のゲートラインのうち、隣り合うゲートライン同士は、走査信号の伝送方向が互いに逆であることを特徴とする。
【００１０】
この映像表示装置において、前記表示画面は、長方形状であり、前記ゲートラインの各々は、前記表示画面の短手方向に沿った画素の各列にそれぞれ対応して設けられていてもよい。
【発明の効果】
【００１１】
本発明によれば、走査信号が、伝送される各ゲートライン上で、伝送距離に応じてなまり、それにより、各ゲートラインに対応した各画素列において走査信号の伝送方向の手前側と奥側とで表示ムラが生じたとしても、隣り合うゲートライン同士で表示ムラの方向（輝度の高さ又は色の濃さの大きい方向と小さい方向）が逆になるので、表示画面の大きさに係らず、全体として表示ムラを打ち消し合うことができ、表示ムラを軽減することができる。
【図面の簡単な説明】
【００１２】
【図１】本発明の一実施形態に係る映像表示装置の本体の正面図。
【図２】上記映像表示装置の電気的ブロック図。
【図３】上記映像表示装置の表示画面及び表示制御回路の回路構成を示す図。
【図４】（ａ）走査信号の理想波形を示す図、（ｂ）は従来の映像表示装置においてなまった走査信号の波形を示す図。
【発明を実施するための形態】
【００１３】
本発明の一実施形態に係る映像表示装置について図面を参照して説明する。図１は、本実施形態の映像表示装置の構成を示す。その映像表示装置１は、ディスプレイ２と、スピーカ３とを備えており、例えばテレビジョン受像機に適用される。ディスプレイ２は、液晶ディスプレイ等により構成され、ディスプレイ２の表示画面２１には、複数の液晶画素（以下、単に液晶という）２２がマトリクス状に配置されている。表示画面２１は、横長の長方形状であり、画素２２は、縦方向（垂直方向）よりも横方向（水平方向）に多く並んでいる。表示画面２１の形状は、これに限定されず、縦長の長方形状であってもよい。映像表示装置１は、不図示であるが、装置を遠隔に操作するためのリモートコントローラ（以下、リモコンという）をさらに備える。
【００１４】
図２は、映像表示装置１の電気的構成を示す。映像表示装置１は、上記のディスプレイ２、スピーカ３及びリモコン４の他に、アンテナ５ａを介してディジタルテレビジョン放送信号（以下、放送信号という）を受信するチューナ５と、その受信された放送信号を復調する復調回路６と、その復調された放送信号を映像データ及び音声データに分離する分離回路７とを備える。
【００１５】
また、映像表示装置１は、分離回路７により分離された映像データを復号化する映像デコーダ８と、その復号化された映像データを基に映像を表示するようにディスプレイ２を制御する表示制御回路９と、分離回路７により分離された音声データを復号化する音声デコーダ１０と、その復号化された音声データを基に音声を出力するようにスピーカ３を制御する音声出力制御回路１１とを備える。
【００１６】
また、映像表示装置１は、装置内の上記各回路を制御するメインＣＰＵ１２（以下、ＣＰＵ１２という）と、リモコン４から無線送信される赤外線信号を受信し電気信号に変換してＣＰＵ１２に出力する赤外線受信回路１３とを備える。上記赤外線信号にはユーザ操作に基づく各種の指示用の信号が含まれる。
【００１７】
表示制御回路９（駆動手段）は、画素２２（図１参照）をマトリクス駆動して表示画面２１に映像を表示させるゲートドライバ９１及びソースドライバ９２を有する。画素２２の駆動方式は、アクティブ・マトリクス方式であるが、これに限定されず、単純マトリクス（パッシブ・マトリクス）方式であってもよい。表示制御回路９によるディスプレイ２の走査方式は、インタレース方式とノンインタレース（プログレッシブ）方式のいずれであってもよい。
【００１８】
ＣＰＵ１２は、リモコン４からの指示信号に基づき、チューナ５により受信チャンネルを選局し、また、表示制御回路９と音声出力制御回路１１とをそれぞれ制御してディスプレイ２の表示制御とスピーカ３の音声出力制御とを行う。
【００１９】
図３は、表示画面２１と、ゲートドライバ９１及びソースドライバ９２の構成を示す。表示画面２１の各画素２２は、液晶に電圧を印加する画素電極２２ａと、画素電極２２ａにドレインが接続されたＴＦＴ（Thin Film Transistor）２２ｂとを有する。
【００２０】
ゲートドライバ９１は、画素２２に走査信号を伝送するための複数のゲートライン９１ａを有する。それらのゲートライン９１ａは、表示画面２１の水平方向と垂直方向（横方向と縦方向）のいずれか一方向に沿った画素２２の各列にそれぞれ対応して設けられている。本実施形態では、各ゲートライン９１ａは、表示画面２１の上記２方向のうちの短い方、すなわち、表示画面２１の短手方向に沿った画素２２の各列にそれぞれ対応して設けられている。上記短手方向は、表示画面２１の垂直方向であるが、これに限定されない。各ゲートライン９１ａはそれぞれ、対応する各列の画素２２に共用される。ゲートライン９１ａは、各列の画素２２に走査信号を順次伝送する。
【００２１】
ゲートドライバ９１のドライバ本体は、同期する２つのドライバにより構成され、一方のドライバは、ゲートライン９１ａの一方の端から走査信号を入力し、他方のドライバは、ゲートライン９１ａの他方の端から走査信号を入力する。ゲートライン９１ａは、端から順に１ライン毎に、ゲートライン９１ａに走査信号を入力するドライバが上記２つのドライバのうちで交互に変わるように構成されている。これにより、全ゲートライン９１ａのうち、隣り合うゲートライン９１ａ同士は、走査信号の伝送方向Ｄ１（矢印で示す）が互いに逆となるようにされている。
【００２２】
ソースドライバ９２は、ゲートライン９１ａにより走査信号が伝送された列の各画素２２にそれぞれ画像データを伝送する複数のソースライン９２ａ（データライン）を有する。それらのソースライン９２ａは、表示画面２１の上記２方向（水平方向と垂直方向）のうち、いずれか他方向に沿った画素２２の各列にそれぞれ対応して設けられている。各ソースライン９２ａはそれぞれ、対応する各列の画素２２に共有されている。上記画像データは、映像を成す各フレームの画像データである。ゲートドライバ９１とソースドライバ９２のいずれもＣＯＦ（Chip On Film）により構成できる。
【００２３】
上記のように構成された表示画面２１において、ＴＦＴ２２ｂは、ゲートライン９１ａから走査信号がゲートに入力されると、画素電極２２ａへの画像データの書き込みが可能な状態になる。その状態で、ソースドライバ９２から画像データがＴＦＴ２２ｂのソースに入力されると、その画像データはＴＦＴ２２ｂのドレインから画素電極２２ａに書き込まれる。そして、その画像データは、画素電極２２ａに設けられた蓄積キャパシタ（不図示）により電荷として蓄えられ、その蓄えられた電荷に基づき液晶に駆動電圧が印加される。それにより、液晶の配向制御がなされて液晶の透過光量が調整される。この調整は画素２２毎に独立してなされ、表示画面２１に画像が表示される。
【００２４】
ところで、走査信号が、伝送される各ゲートライン９１ａ上で、伝送距離に比例するライン抵抗に応じてなまり、それにより、各ゲートライン９１ａに対応した画素２２の各列において走査信号の伝送方向Ｄ１の手前側（矢印の根元側）と奥側（矢印の先端側）とで輝度ムラ又は色ムラ（以下、表示ムラと総称）が生じたとする。
【００２５】
本実施形態においては、そのようなことが生じたとしても、隣り合うゲートライン９１ａ同士で、走査信号の伝送方向が互いに逆であることから、表示ムラの方向、すなわち輝度又は色が変化する方向（輝度の高さ又は色の濃さの大きい方向と小さい方向）が逆になり、そのため、表示画面２１の大きさに係らず、全体として表示ムラを打ち消し合うことができ、表示ムラを軽減することができる。
【００２６】
また、ゲートライン９１ａは、表示画面２１の短手方向に沿った画素２２の列に対応して設けられているので、ゲートライン９１ａの配線距離をできる限り短くすることができ、走査信号が伝送される距離を短縮することができる。従って、走査信号のなまりを抑えることができ、表示ムラ軽減効果の向上を図ることができる。
【００２７】
なお、本発明は、上記の実施形態の構成に限定されるものでなく、使用目的に応じ、様々な変形が可能である。例えば、映像表示装置１は、テレビジョン受像機ではなく、単なるディスプレイ装置であってもよい。また、ディスプレイ２は、有機ＥＬディスプレイであっても構わず、画素２２は、有機ＥＬ素子であってもよい。
【符号の説明】
【００２８】
１  映像表示装置
２  ディスプレイ
２１  表示画面
２２  液晶画素（画素）
９  表示制御回路（駆動手段）
９１ａ  ゲートライン
９２ａ  ソースライン（データライン）
Ｄ１  走査信号の伝送方向
【図１】
2012141391.tif 000003
【図２】
2012141391.tif 000004
【図３】
2012141391.tif 000005
【図４】
2012141391.tif 000006